(57)【要約】【課題】立地条件によって、たとえ戸袋が狭くても対応できる扉装置を提供することを目的とする。【解決手段】駐車装置やエレベータなどの機械装置の入口或いは出口に中央開きする扉が設けられたものにおいて、幅寸法の異なる扉が左右に配置され、この扉の幅寸法は、該扉を収納する戸袋の寸法に対応する寸法であり、左右の扉は複数枚で構成され、扉をその幅寸法に応じた速度で駆動する駆動機構を備えるものである。そして、この扉の表面には、区切りが目立たないように模様が施されている扉装置である。【選択図】        図１
2004324318.tif 000002
【特許請求の範囲】
【請求項１】
機械装置の入口或いは出口に中央開きする扉が設けられたものにおいて、
幅寸法の異なる扉が左右に配置されることを特徴とする扉装置。
【請求項２】
前記扉の幅寸法は、該扉を収納する戸袋の寸法に対応する寸法であることを特徴とする請求項１に記載の扉装置。
【請求項３】
前記左右の扉は複数枚で構成されていることを特徴とする請求項１又は請求項２に記載の扉装置。
【請求項４】
前記機械装置は、エレベータであることを特徴とする請求項１又は請求項２又は請求項３に記載の扉装置。
【請求項５】
前記機械装置は、駐車装置であることを特徴とする請求項１又は請求項２又は請求項３に記載の扉装置。
【請求項６】
前記扉をその幅寸法に応じた速度で駆動する駆動機構を備えていることを特徴とする請求項１又は請求項２又は請求項３又は請求項４又は請求項５に記載の扉装置。
【請求項７】
前記扉の表面には、区切りが目立たない模様が施されていることを特徴とする請求項１又は請求項２又は請求項３又は請求項４又は請求項５又は請求項６に記載の扉装置。
【発明の詳細な説明】
【０００１】
【発明の属する技術分野】
本発明はレイアウト上、戸袋のスペースに余裕がない場合でも対応できる扉装置に関するものである。
【０００２】
【従来の技術】
機械式駐車装置の代表例として、垂直循環方式駐車装置やエレベータ方式駐車装置などが挙げられるが、出入口には図５に示すように、左右に開閉する扉１が設けられている。（特許文献１参照）
【０００３】
即ち、左右に開閉する扉１は、それぞれ同一寸法の幅を有する扉で、１枚ずつ設けられる場合や、２枚ずつ合計４枚設けられる場合などいろいろあり、何れの場合も開口部の中心と機械式駐車装置の中心とが一直線上に配置される。
【０００４】
【特許文献１】
特公平５−４７７１４号公報
【０００５】
【発明が解決しようとする課題】
ところが、建物の柱２の配置され具合により、図６に示すように、左右の戸袋３の寸法を十分取れないケースがあり、実用上問題になることがあった。
【０００６】
本発明は、上記の点に鑑みなされたもので、戸袋スペースが狭いような場合でも対応が可能な扉装置を提供することを目的とする。
【０００７】
【課題を解決するための手段】
本発明は、機械装置の入口或いは出口に中央開きする扉が設けられたものにおいて、幅寸法の異なる扉を左右に配置するものである。
【０００８】
【発明の実施の形態】
本発明は、たとえ戸袋が狭くても間口の広い出入口を確保できる扉装置を得ることができるものである。
【０００９】
【実施例】
以下、本発明の一実施例について、図面を用いて説明する。図１は本発明に係る中央開き扉の一例を示す平面図、図２はこの扉の駆動機構の一例を示す図である。
【００１０】
図中、１１，１２は本発明に係る幅寸法が狭い扉、２１，２２は本発明に係る幅寸法が広い扉である。１１ａ，１２ａ，２１ａ，２２ａはそれぞれの扉１１，１２，２１，２２を吊り下げている周知のハンガーで、ハンガー１１ａ，１２ａは幅寸法Ａ、２１ａ，２２ａは幅寸法Ｂ（但し、Ａ＜Ｂ）で構成されている。３１，３２，３３，３４はそれぞれ径の異なるスプロケットで、歯数がＴ１，Ｔ２，Ｔ３，Ｔ４である。
【００１１】
そして、歯数Ｔ１を基準にして、
Ｔ２／Ｔ１＝Ａ／Ｂ（Ａ／Ｂは扉の幅の寸法比でもある）
Ｔ３／Ｔ１＝１／２
Ｔ４／Ｔ１＝Ａ／２Ｂ
になるように設定している。
【００１２】
４１は左右のスプロケット３２に巻きかけられたチェーンで、両端がハンガー１１ａに連結されている。４２は左右のスプロケット３４に巻きかけられたチェーンで、両端がハンガー１２ａに連結されている。４３は左右のスプロケット３１に巻きかけられたチェーンで、両端がハンガー２１ａに連結されている。４４は左右のスプロケット３４ａに巻きかけられたチェーンで、ハンガー２２ａに連結されている。そして、左側のスプロケット３１，３２，３３，３４は軸５０に固着され、この軸５０はモータ６０により回転駆動される。
【００１３】
このモータ６０が時計方向に回転すれば、ハンガー１１ａ，１２ａ，２１ａ，２２ａを介して扉１１，１２，２１，２２は開放する方向に、それぞれスプロケット３１，３２，３３，３４の歯数Ｔ１，Ｔ２，Ｔ３，Ｔ４の比率で、移動する。即ち、それぞれ扉の移動速度（扉１２は扉１１の１／２の速度、扉２２は扉２１の１／２の速度）とともに、該当する扉の幅に応じた距離を移動することになる。その結果、図３に示すように、寸法の異なる戸袋６１，６２にちょうど収まるように全開する。一方、モータ６０が反時計方向に回転すれば、同じように各扉は必要な距離だけそれぞれ移動して、全閉することになる。
【００１４】
次に、図４はその他の駆動機構を示す。ここでは、幅狭の扉用ハンガー１１ａ，１２ａと幅広の扉用ハンガー２１ａ，２２ａの双方の駆動機構を分けるようにしている。即ち、図１と同一符号のものは同一のものを示すが、幅狭の扉用ハンガーと幅広の扉用ハンガーとを別々のチェーン７１，７２により連動させて、速度の異なる扉どうしを構成するようにしている。つまり、スプロケット８１，８２（動滑車）につられて遅い方の扉用ハンガー１２ａ，２２ａがハンガー１１ａ，２１ａの１／２の速度で連動する機構にしている。
【００１５】
このような扉の構成の場合、左右の扉の突合せ箇所が駐車装置の中心からずれることになるため、利用者に対して奇異な感じを与えることになるが、扉表面の模様などに工夫を加えることで、継ぎ目を目立たなくする対策を講ずるのも一法である。
尚、以上の説明では、機械式駐車装置の場合を例に挙げて述べているが、エレベータ等その他の機械装置であっても適用できることは言うまでもない。
【００１６】
【発明の効果】
以上説明したように本発明によれば、左右の戸袋寸法が異なる状況であっても、それに対する扉装置を適切に提供することができるものである。
【図面の簡単な説明】
【図１】本発明に係る中央開き扉の一例を示す平面図である。
【図２】図１で示す扉の駆動機構の一例を示す図である。
【図３】本発明装置に係る扉の状態図である。
【図４】本発明に係る扉におけるその他の駆動機構の一例を示す図である。
【図５】従来の扉装置を示す平面図である。
【図６】従来装置の問題点を説明する説明図である。
【符号の説明】
１，１１，１２，２１，２２  扉
３  戸袋
１１ａ，１２ａ，２１ａ，２２ａ  ハンガー
３１，３２，３３，３４  スプロケット
Ｔ１，Ｔ２，Ｔ３，Ｔ４  スプロケツト３１，３２，３３，３４の歯数
Ａ／Ｂ  扉１１と扉２１或いは扉１２と扉２２の幅寸法比
【図１】
2004324318.tif 000003
【図２】
2004324318.tif 000004
【図３】
2004324318.tif 000005
【図４】
2004324318.tif 000006
【図５】
2004324318.tif 000007
【図６】
2004324318.tif 000008